(57)【特許請求の範囲】
【請求項１】
引違い戸（２）の召し合わせ部分（３）に設けられる引違い戸錠であって、
室外側（Ａ）の召し合わせ框（４）に設けられるアウト側ユニット（１Ａ）と、室内側（Ｂ）の召し合わせ框（５）に設けられるイン側ユニット（１Ｂ）とを備え、
前記イン側ユニット（１Ｂ）に、前記アウト側ユニット（１Ａ）に設けたストライク部（３５）に係脱自在に係合して引違い戸を施錠する施錠部材（３４）と、この施錠部材（３４）を操作する施錠操作部材（９７）と、この施錠操作部材（９７）の操作に連動して動く連動部材（９９）とを設け、
前記アウト側ユニット（１Ａ）に、室外側（Ａ）からキー操作されるシリンダ錠（１５）と、このシリンダ錠（１５）の室内側（Ｂ）に配置されていて該シリンダ錠（１５）によって回転操作されるロータギヤ（５２）と、このロータギヤ（５２）に噛合していて該ロータギヤ（５２）の回転により上下に移動動作するラックプレート（５３）と、このラックプレート（５３）の上下動に連動して揺動することにより前記施錠部材（３４）を施錠又は解錠操作するように前記連動部材（９９）に係合するアウト側操作部材（３９）とを備え、
前記ロータギヤ（５２）を、室外側（Ａ）の召し合わせ框（４）内で、アウト側操作部材（３９）とストライク部（３５）との間に配置し、
前記ロータギヤ（５２）は、室内外方向の軸心を有する外筒部（５９）と、この外筒部（５９）の中心部に同心状に配置された内筒部（６０）と、これら外筒部（５９）と内筒部（６０）との周方向の一部を軸心方向にわたって連結する連結壁（６１）とを備え、
前記シリンダ錠（１５）にキー操作によって室内外方向の軸心回りに回転操作されるロータ（２１）を設け、このロータ（２１）を、ロータギヤ（５２）の外筒部（５９）と内筒部（６０）との間に一体回転自在で且つ室内外方向に相対移動自在に嵌合する切欠筒状に形成したことを特徴とする引違い戸錠。
【請求項２】
前記室外側（Ａ）の召し合わせ框（４）内に配置されるアウトケース（９）内に、前記シリンダ錠（１５）、ロータギヤ（５２）、ラックプレート（５３）及びアウト側操作部材（３９）を収容し、アウト側操作部材（３９）の下方にロータギヤ（５２）を配置し、
前記アウトケース（９）の室内側壁部（２７）に、ロータギヤ（５２）を回転自在に支持する支持孔（３１）を設け、この支持孔（３１）の下方側に前記ストライク部（３５）が設けられ、このストライク部（３５）の下方側に施錠部材（３４）が挿入する挿入孔（２６）が設けられていることを特徴とする請求項１に記載の引違い戸錠。
【請求項３】
前記アウト側ユニット（１Ａ）は、室外側（Ａ）の召し合わせ框（４）の室外側（Ａ）に配置されるアウトサイド座（７）と該召し合わせ框（４）の室内側（Ｂ）に配置されるアウト側フロント（８）とで該召し合わせ框（４）を挟持することにより該召し合わせ框（４）に取り付けられ、
前記アウトサイド座（７）にシリンダ錠（１５）を支持すると共に、アウト側フロント（８）にアウトケース（９）の室内側壁部（２７）を固定したことを特徴とする請求項２に記載の引違い戸錠。
【請求項４】
前記ロータギヤ（５２）に取り付けられて該ロータギヤ（５２）を室内外方向に延長するスペーサ（６２）を備え、このスペーサ（６２）はロータギヤ（５２）の外筒部（５９）及び内筒部（６０）と同径の外筒部（６６）及び内筒部（６７）と、これらを連結する連結壁（６８）とを有していて、前記ロータ（２１）がスペーサ（６２）の外筒部（６６）と内筒部（６７）との間に一体回転自在で且つ室内外方向に相対移動自在に嵌合するよう構成されていることを特徴とする請求項１〜３のいずれか１項に記載の引違い戸錠。
【請求項５】
前記イン側ユニット（１Ｂ）は調整棒（１４８）を室内外方向で貫通することができるように構成され、アウト側ユニット（１Ａ）はロータギヤ（５２）の室内側（Ｂ）の面が露出するように構成されており、取付時において、前記調整棒（１４８）をイン側ユニット（１Ｂ）に貫通させると共に該調整棒（１４８）の先端側を前記ロータギヤ（５２）の室内側（Ｂ）の面に設けた挿入部（６５ａ）に挿入することにより、イン側ユニット（１Ｂ）をアウト側ユニット（１Ａ）に対して適正位置に位置合わせすることができるよう構成されていることを特徴とする請求項１〜４のいずれか１項に記載の引違い戸錠。
【発明の詳細な説明】
【技術分野】
【０００１】
本発明は、引違い戸の召し合わせ部分に設けられる引違い戸錠に関するものである。
【背景技術】
【０００２】
従来、引違い戸錠として、室外側の召し合わせ框に設けられるアウト側ユニットと、室内側の召し合わせ框に設けられるイン側ユニットとを備え、前記イン側ユニットに、前記アウト側ユニットに設けたストライク部に係脱自在に係合して引違い戸を施錠する施錠部材と、この施錠部材を操作する施錠操作部材と、この施錠操作部材の操作に連動して動く連動部材とを設け、前記アウト側ユニットに、室外側からキー操作されるシリンダ錠と、このシリンダ錠の室内側に配置されていて該シリンダ錠によって回転操作されるロータギヤと、このロータギヤに噛合していて該ロータギヤの回転により上下に移動動作するラックプレートと、このラックプレートの上下動に連動して揺動することにより前記施錠部材を施錠又は解錠操作するように前記連動部材に係合するアウト側操作部材とを備えてなる引違い戸錠がある（特許文献１参照）。
【先行技術文献】
【特許文献】
【０００３】
【特許文献１】特許第３９０７６２１号公報
【発明の概要】
【発明が解決しようとする課題】
【０００４】
引違い戸錠のイン側ユニットとアウト側ユニットとは、引違い戸を閉めた状態で室内外方向で対向状に取り付けられ、該引違い戸を閉めた状態において、前記従来の引違い戸錠にあっては、ロータギヤが退避位置にある施錠部材の鉤状部と対向状となるように配置されている。
施錠部材は、施錠時に、鉤状部がイン側ユニットから突出してアウト側ユニット内に侵入し、該アウト側ユニットのストライク部に係合することから、ロータギヤは、施錠部材の鉤状部との干渉を避けるために、該鉤状部の侵入経路よりも室外側寄りに配置されている。このため、シリンダ錠が框内に収まらず、従来の引違い戸錠にあっては、該シリンダ錠が室外側の召し合わせ框から外方に出ている。
【０００５】
したがって、従来の引違い戸錠にあっては、アウト側ユニットが室外側の召し合わせ框から外方に大きく突出している。このように、アウト側ユニットが室外側の召し合わせ框
から外方に大きく突出していると、例えば、引違い戸の室外側に網戸を設ける場合に、該網戸を引違い戸の室外側の引き戸に対して近接して取り付けられないという問題がある。
そこで、本発明は、前記問題点に鑑み、アウト側ユニットが室外側の召し合わせ框から大きく突出しない引違い戸錠を提供することを課題とする。
【課題を解決するための手段】
【０００６】
前記技術的課題を解決するために本発明が講じた技術的手段は、引違い戸の召し合わせ部分に設けられる引違い戸錠であって、
室外側の召し合わせ框に設けられるアウト側ユニットと、室内側の召し合わせ框に設けられるイン側ユニットとを備え、
前記イン側ユニットに、前記アウト側ユニットに設けたストライク部に係脱自在に係合して引違い戸を施錠する施錠部材と、この施錠部材を操作する施錠操作部材と、この施錠操作部材の操作に連動して動く連動部材とを設け、
前記アウト側ユニットに、室外側からキー操作されるシリンダ錠と、このシリンダ錠の室内側に配置されていて該シリンダ錠によって回転操作されるロータギヤと、このロータギヤに噛合していて該ロータギヤの回転により上下に移動動作するラックプレートと、このラックプレートの上下動に連動して揺動することにより前記施錠部材を施錠又は解錠操作するように前記連動部材に係合するアウト側操作部材とを備え、
前記ロータギヤを、室外側の召し合わせ框内で、アウト側操作部材とストライク部との間に配置し、
前記ロータギヤ（５２）は、室内外方向の軸心を有する外筒部（５９）と、この外筒部（５９）の中心部に同心状に配置された内筒部（６０）と、これら外筒部（５９）と内筒部（６０）との周方向の一部を軸心方向にわたって連結する連結壁（６１）とを備え、
前記シリンダ錠（１５）にキー操作によって室内外方向の軸心回りに回転操作されるロータ（２１）を設け、このロータ（２１）を、ロータギヤ（５２）の外筒部（５９）と内筒部（６０）との間に一体回転自在で且つ室内外方向に相対移動自在に嵌合する切欠筒状に形成したことを特徴とする。
【０００７】
また、前記室外側の召し合わせ框内に配置されるアウトケース内に、前記シリンダ錠、ロータギヤ、ラックプレート及びアウト側操作部材を収容し、アウト側操作部材の下方にロータギヤを配置し、前記アウトケースの室内側壁部に、ロータギヤを回転自在に支持する支持孔を設け、この支持孔の下方側に前記ストライク部を設け、このストライク部の下方側に施錠部材が挿入する挿入孔を設けるのがよい。
【０００８】
また、前記アウト側ユニットは、室外側の召し合わせ框の室外側に配置されるアウトサイド座と該召し合わせ框の室内側に配置されるアウト側フロントとで該召し合わせ框を挟持することにより該召し合わせ框に取り付けられ、
前記アウトサイド座にシリンダ錠を支持すると共に、アウト側フロントにアウトケースの室内側壁部を固定するのがよい。
【０００９】
また、前記ロータギヤに取り付けられて該ロータギヤを室内外方向に延長するスペーサを備え、このスペーサはロータギヤの外筒部及び内筒部と同径の外筒部及び内筒部と、これらを連結する連結壁とを有していて、前記ロータがスペーサの外筒部と内筒部との間に一体回転自在で且つ室内外方向に相対移動自在に嵌合するよう構成されているのがよい。
また、前記イン側ユニットは調整棒を室内外方向で貫通することができるように構成され、アウト側ユニットはロータギヤの室内側の面が露出するように構成されており、取付時において、前記調整棒をイン側ユニットに貫通させると共に該調整棒の先端側を前記ロータギヤの室内側の面に設けた挿入部に挿入することにより、イン側ユニットをアウト側ユニットに対して適正位置に位置合わせすることができるよう構成されているのがよい。
【発明の効果】
【００１０】
本発明によれば、ロータギヤを、室外側の召し合わせ框内で、アウト側操作部材とストライク部との間に配置したことにより、ロータギヤが室内外方向で施錠部材と干渉する惧れはなく、該ロータギヤを室外側の召し合わせ框内で室内側寄りに極力寄せて配置することができる。これにより、シリンダ錠を室外側の召し合わせ框内に略収めることができ、
アウト側ユニットが室外側の召し合わせ框から外方に大きく突出することがないという効果を奏する。
【図面の簡単な説明】
【００１１】
【図１】アウト側ユニットの側面断面図である。
【図２】イン側ユニットの側面断面図である。
【図３】アウト側ユニットの背面断面図である。
【図４】施錠状態の引違い戸錠の上部の側面断面図である。
【図５】解錠状態の引違い戸錠の上部の側面断面図である。
【図６】引違い戸錠の側面図である。
【図７】引違い戸錠平面図である。
【図８】引違い戸錠の斜視図である。
【図９】アウト側ユニットの分解斜視図である。
【図１０】アウト側ユニットの要部の斜視図である。
【図１１】アウト側ユニットの要部の分解斜視図である。
【図１２】アウト側ユニットの要部の一部分解斜視図である。
【図１３】アウト側ユニットの要部の一部分解斜視図である。
【図１４】ロータギヤとスペーサの背面図及び斜視図である。
【図１５】イン側ユニットの分解斜視図である。
【図１６】イン側ユニットの要部の分解斜視図である。
【発明を実施するための形態】
【００１２】
以下、本発明の実施の形態を図面を参照して説明する。
図６〜図８において、１は引違い戸２を施錠すべく該引違い戸２の召し合わせ部分３に設けられる引違い戸錠である。
以下の説明において、引違い戸２の開閉方向（引戸２Ａ，２Ｂの移動方向）を左右方向Ｃという。
【００１３】
この引違い戸錠１は、室外側Ａの引戸２Ａの召し合わせ框４（外側框という）に取り付けられるアウト側ユニット１Ａと、室内側Ｂの引戸２Ｂの召し合わせ框５（内側框という）に取り付けられるイン側ユニット１Ｂと、室外側Ａから引違い戸錠１を施錠・解錠するためのキー６とを有する（図例のものはディンプルキーが採用されている）。
また、アウト側ユニット１Ａとイン側ユニット１Ｂとは、引違い戸２を閉めた状態において室内外方向で対向するように取り付けられる。
【００１４】
アウト側ユニット１Ａは、図１、図３〜図１３に示すように、外側框４の室外側Ａに配置されるアウトサイド座７と、外側框４の室内側Ｂに配置されるアウト側フロント８と、これらアウトサイド座７とアウト側フロント８との間に配置され且つ外側框４に室内外方向に貫通形成された収容部内に収容されたアウトケース９とを有する。
アウトサイド座７は、縦長の矩形状に形成されていて外側框４の収容部を塞ぐように外側框４の室外側Ａの面に接当する平板状のベース部１１を有する。
【００１５】
該アウトサイド座７の外面（室外側Ａ表面)は上下方向に沿う略平坦状に形成されており、外側框４の外面（室外側Ａの表面）から大きく突出しない（大きな出っ張りがない）ように形成されていて、引違い戸２の室外側Ａに網戸を設ける場合などにおいて、アウトサイド座７が邪魔物とならないように考慮されている。
また、アウトサイド座７の上端側及び下端側には、室内側Ｂに向けて且つ外側框４の収容部内に突出する取付部１２が形成され、これら上下の各取付部１２には室内外方向の軸心を有するネジ孔１３が形成されている。
【００１６】
また、アウトサイド座７の上下方向中央側には、上下一対のシリンダ支持部１４が室内側Ｂに向けて突出状に設けられ、これら上下のシリンダ支持部１４間にはシリンダ錠１５が配置されている。
シリンダ支持部１４の室内側Ｂ端部には抜止プレート１６がネジ止めされ、該抜止プレート１６とアウトサイド座７とでシリンダ錠１５のシリンダボディ１７（外筒）の室内外方向の移動が規制されていると共に、上下のシリンダ支持部１４によってシリンダボディ
１７の室内外方向の軸心回りの回転が規制されている。
【００１７】
このシリンダ錠１５は、本実施形態では、シリンダプラグ１８（内筒）が前記キー６によって室内外方向の軸心回りに回転操作されるディンプルシリンダ錠によって構成され、該シリンダ錠１５を室外側Ａから操作することができるように、シリンダプラグ１８のキーウェイがアウトサイド座７に形成された孔１９を介して外部に露出している。
また、該シリンダ錠１５には、シリンダプラグ１８と一体回転するロータ２１が設けられている。このロータ２１は前記抜止プレート１６に形成された挿通孔２２を挿通して室内側Ｂに向けて突出している。
【００１８】
また、ロータ２１は、筒体（円筒体）に、その一部を軸心方向にわたって切り欠くことによって形成された嵌合溝２３が設けられた切欠筒状（切欠円筒状）に形成され、シリンダプラグ１８の回転軸心と同心状に設けられている。
前記アウト側フロント８は板材によって縦長の矩形状に形成され、外側框４の収容部を塞ぐように該外側框４の室内側Ｂの面に接当している。
【００１９】
このアウト側フロント８には、上部から中央側にかけて窓孔２４が貫通形成されている。また、該アウト側フロント８の下部（窓孔２４の下側）には、イン側ユニット１Ｂに設けられた施錠用の鎌３４（施錠部材）が挿脱自在に挿入する挿入孔２６（鎌挿入孔という）が貫通形成されている。
前記窓孔２４は、上部側が上下方向に長い矩形状に形成され（矩形状部分２４ａという）、下部側が円形状に形成されている（円形状部分２４ｂという）。
【００２０】
前記アウトケース９は、室外側Ａが開放状とされた矩形箱状に形成され、上部にアウトサイド座７の上側の取付部１２が室外側Ａから挿入され、下部にアウトサイド座７の下側の取付部１２が室外側Ａから挿入されている。
このアウトケース９の室内側壁部２７の上端側及び下端側にはアウト側フロント８の上下部がリベット２８によって固定されている。
【００２１】
また、該アウトケース９の室内側壁部２７には、上下に開孔２９，３０が形成されると共に、この上下の開孔２９，３０の間に位置する円形状の支持孔３１が形成されている。
上側開孔２９はアウト側フロント８の窓孔２４の上部側の矩形状部分２４ａに対向して形成されている。この上側開孔２９の左右幅は、アウトケース９の左右側壁３２間にわたる左右幅に形成されており、アウトケース９の左右側壁３２の上側開孔２９の形成部分の端縁は、上下方向中途部に係合片３３が形成されるように、室外側Ａに向けて切り欠かれている。
【００２２】
下側開孔３０はアウト側フロント８の鎌挿入孔２６に対向して形成されている。この下側開孔３０は、鎌挿入孔２６よりも高く形成されていて、該下側開孔３０の上部はアウト側フロント８の、窓孔２４と鎌挿入孔２６との間の壁部に対向している。該窓孔２４と鎌挿入孔２６との間の壁部が、イン側ユニット１Ｂの鎌３４が係脱自在に係合するストライク部３５とされている。
【００２３】
前記支持孔３１は、アウト側フロント８の窓孔２４の下部側の円形状部分２４ｂに対向して形成されている。
また、アウトケース９の一方の側壁３２上部の室外側Ａ寄りには、上下方向に長い矩形状のガイド孔３６が貫通形成されている。
また、アウトケース９の左右各側壁３２の上下方向中途部の室外側Ａ寄りには、室外側Ａに向けて開放状とされた側面視コ字形の切欠き部３７が形成されている。
【００２４】
前記アウトサイド座７とアウト側フロント８とは、アウト側フロント８及びアウトケース９の室内側壁部２７を室内側Ｂから貫通してアウトサイド座７の取付部１２のネジ孔１３に螺合される取付ネジ３８によって相互に連結されており、これらアウトサイド座７とアウト側フロント８とで外側框４を挟み込むことにより、該アウトサイド座７とアウト側フロント８とが（アウト側ユニット１Ａが）外側框４に着脱自在に取り付けられている。
【００２５】
この取付構造により、アウトサイド座７とアウト側フロント８との間の取付間隔が変更可能とされ、したがって、アウト側ユニット１Ａは、室内外方向の厚みの異なる外側框４に対して、該厚みに対応して外側框４に取り付け得るようになっている。
なお、図１は、アウトサイド座７とアウト側フロント８との間の取付間隔を最も縮めた状態で、外側框４にアウト側ユニット１Ａを取り付けた状態を示している。
【００２６】
また、アウト側ユニット１Ａは、シリンダ錠１５のシリンダプラグ１８の回転に連動して回転操作されることによりイン側ユニット１Ｂに設けられた鎌３４を操作するアウト鎌３９（アウト側操作部材）を有する。
このアウト鎌３９は、アウトケース９の側壁３２間の中央部の上部で且つアウト側フロント８の窓孔２４の矩形状部分２４ａを臨む位置に配置されている。
【００２７】
また、該アウト鎌３９は、一枚の平板状板材によって形成され、板厚が全体にわたって同厚とされ、板厚方向が左右方向Ｃに一致するように配置されている。
また、アウト鎌３９には左右方向Ｃの軸心を有する回転支軸４１が貫通され、この回転支軸４１はアウトケース９の左右側壁３２にわたって設けられており、この回転支軸４１によってアウト鎌３９が左右軸回りに回転自在（上下揺動自在）に支持されている。
【００２８】
図１に示すように、アウト鎌３９はアウト側フロント８の窓孔２４から外側框４内に退避している状態が非操作位置とされ、該位置において、上部（回転支軸４１より上側）で且つ室内側Ｂ寄りに施錠操作部４２が設けられ、下部（回転支軸４１より下側）で且つ室内側Ｂ寄りに解錠操作部４３が設けられている。
これら施錠操作部４２と解錠操作部４３とは、アウト鎌３９を非操作位置から回転支軸４１の軸心回りに所定角度回転させることにより、アウト側フロント８の窓孔２４の矩形状部分２４ａから出退（出入り）自在に突出するように構成されている（図４、５参照）。
【００２９】
前記アウト側フロント８の窓孔２４の矩形状部分２４ａがアウト鎌３９の出退口とされている。
また、図１に示すように、アウト鎌３９の上下方向中央側で且つ室外側Ａ寄りには、上下一対の係合溝４４が形成されている。該上下係合溝４４は、回転支軸４１の軸心に直交する室内外方向の線を境に上下振り分け状に形成されている。
【００３０】
各係合溝４４は、室外側Ａに向けて開放状に形成されていると共に、中途部から室内側Ｂに向けて、回転支軸４１に向かうように傾斜状に形成されている。
アウト鎌３９の係合溝４４間部分を中央被押圧部３９ａ、上側の係合溝４４の上縁側部分を上被押圧部３９ｂ、下側の係合溝４４の下縁側部分を下被押圧部３９ｃという。
また、アウト鎌３９の上下端縁部(外周縁部)は、回転支軸４１の軸心を中心とする円弧状に形成されている。
【００３１】
アウトケース９の上部には、アウト鎌３９を保持するアウト鎌ケース４６が、上側開孔２９を介して室内側Ｂから嵌め込まれている。
このアウト鎌ケース４６は、室内側Ｂの左右両側にアウトケース９の側壁３２の室内側Ｂの面に接当するフランジ部４７を備え、各フランジ部４７には、上側開孔２９の左右両側に設けられた係合片３３が嵌合する切欠部４８が形成されている。
【００３２】
また、アウト鎌ケース４６の左右方向Ｃ中央側には、縦長の位置決め孔４９が室内外方向に貫通形成され、この位置決め孔４９をアウト鎌３９が挿通しており、これによってアウト鎌３９の左右方向Ｃの位置決めがなされている。
なお、アウト鎌３９の上下部分は中央被押圧部３９ａ（係合溝４４間部分）よりも室外側Ａに向けて延出されており、これによって、アウト鎌３９と位置決め孔４９との係合部分を多くしてアウト鎌３９の回転動作の安定化を図っている。
【００３３】
アウト鎌ケース４６の上下方向中央側には、室外側Ａから室内側Ｂに向けて凹む凹部５０が左右方向Ｃにわたって形成され、この凹部５０に前記回転支軸４１が収容されている。
この凹部５０の室内側Ｂは位置決め孔４９に連通するように切り欠かれている。
また、アウト側ユニット１Ａは、シリンダ錠１５のシリンダプラグ１８の回転をアウト鎌３９に伝達する連動機構５１を有する。
【００３４】
この連動機構５１は、シリンダプラグ１８と一体回転するロータギヤ５２（ピニオン）と、このロータギヤ５２の回転によって上下移動するラックプレート５３と、このラック
プレート５３に設けられていてアウト鎌３９の係合溝４４に係合する上下一対の操作ピン５４とを有する。
図１４に示すように、ロータギヤ５２は、室内外方向の軸心を有する円柱形状のギヤ本体５６を備え、このギヤ本体５６の外周面に周方向に間隔をおいて係合歯５７が設けられ、この係合歯５７は上部から下部にかけて略半周にわたって設けられている。
【００３５】
このロータギヤ５２は、アウトケース９内の支持孔３１を臨む位置（アウトケース９の上下方向中央側）に配置されており、アウト鎌３９及びアウト鎌ケース４６の下方（真下）で且つ前記ストライク部３５の上方側（アウト鎌３９及びアウト鎌ケース４６とストライク部３５との間）に位置している。
このように構成することにより、ロータギヤ５２の下方側において、イン側ユニット１Ｂに設けられる鎌３４がストライク部３５に係合することとなるので、ロータギヤ５２を外側框４の収容部内の（アウトケース９内の）室内側Ｂ寄りに極力寄せて配置することができる。
【００３６】
そして、ロータギヤ５２を外側框４の収容部内の室内側Ｂ寄りに極力寄せて配置することにより、シリンダ錠１５を外側框４の収容部内（アウトケース９内）に略収めることができ、アウトサイド座７の外面に大きな出っ張りができるのをなくすことができるのである。
なお、アウト鎌ケース４６の下面は、ロータギヤ５２の外周に沿う円弧状に形成されていて、アウト鎌ケース４６とロータギヤ５２とが上下方向において近接配置されている。
【００３７】
また、ロータギヤ５２は、ギヤ本体５６の室内側Ｂの端部をアウトケース９の支持孔３１に挿通すると共に該端部に止め輪５８を嵌め込むことによって、支持孔３１からの抜け止めがされていると共にアウトケース９に室内外方向の軸心回り回転自在に支持されている。
また、ロータギヤ５２のギヤ本体５６の室内側Ｂ端面は、アウト側フロント８の窓孔２４の円形状部分２４ｂを介して室内側Ｂに向けて露出している。
【００３８】
前記ギヤ本体５６は、室内外方向の軸心を有する外筒部５９と、該外筒部５９の中心部に同心状に位置する内筒部６０と、これら外筒部５９と内筒部６０とを連結する連結壁６１とから主構成されている。
前記連結壁６１は、外筒部５９と内筒部６０との間の周方向の一部に軸心方向にわたって形成され、且つシリンダ錠１５に設けたロータ２１の嵌合溝２３に挿入可能とされている。
【００３９】
前記ギヤ本体５６の外筒部５９と内筒部６０との間にシリンダ錠１５に設けたロータ２１が挿入され且つ連結壁６１がロータ２１の嵌合溝２３に挿入され、これによって、ロータ２１とロータギヤ５２とが一体回転自在とされ、前記キー６によってシリンダ錠１５を操作することによりロータギヤ５２が回転操作されるよう構成されている。
また、ロータ２１とロータギヤ５２とは、前記構成により、一体回転状態を維持したままで室内外方向に相対移動自在（近接離反）とされており、外側框４の厚みに対応してアウトサイド座７とアウト側フロント８との間隔変更した場合に対応することができるよう構成されている。
【００４０】
また、ロータギヤ５２には、その室外側Ａにスペーサ６２が取付け可能とされ、該スペーサ６２をロータギヤ５２に継ぎ足すにより、ロータギヤ５２のギヤ本体５６が室内外方向に延長され、厚みの大きな外側框４に対応することができるよう構成されている。
該スペーサ６２の取付構造を具体的に説明すると、前記ロータギヤ５２のギヤ本体５６には、外筒部５９の係合歯５７が形成されていない部分に、室外側Ａに向けて開放状とされた嵌合凹部６３を形成するための膨出部６４が設けられていると共に、内筒部６０の内孔６５には、室外側Ａの端部から室内側Ｂの端部近傍にかけて雌ネジが形成されている。
【００４１】
また、スペーサ６２は、ロータギヤ５２のギヤ本体５６と同様に形成された（ギヤ本体５６の外筒部５９及び内筒部６０と同径の外筒部６６及び内筒部６７と、これらを連結する連結壁６８とを有する）スペーサ本体６９と、前記膨出部６４に設けられた嵌合凹部６３に室外側Ａから嵌合してスペーサ６２の回止めをする嵌合凸部７０とを有する。
そして、スペーサ６２の嵌合凸部７０をロータギヤ５２の嵌合凹部６３に嵌合させ、取付ネジ７１をスペーサ６２の内筒部６０の内孔に挿通させ且つ該取付ネジ７１をロータギヤ５２の内筒部６７の内孔６５に螺合することにより、ロータギヤ５２にスペーサ６２が取り付けられるよう構成されている。
【００４２】
ラックプレート５３は、ロータギヤ５２の、係合歯５７が形成されている側の側方に配置され、下部にロータギヤ５２の係合歯５７に噛合する噛合孔７２が上下方向に間隔をおいて形成されている。
したがって、ロータギヤ５２を正逆回転させることにより係合歯５７が噛合孔７２に噛合してラックプレート５３が上下移動するよう構成されている。
【００４３】
また、噛合孔７２の形成部分の上側には、前記回転支軸４１が挿通する挿通孔７３が形成され、この挿通孔７３はラックプレート５３の上下動を許容するように、上下方向に長い長孔状に形成されている。
このラックプレート５３の挿通孔７３の形成部分は、アウト鎌ケース４６とアウトケース９の側壁３２との間に配置され、これらによって上下移動自在にガイドされている。
【００４４】
また、ラックプレート５３の上部の前記挿通孔７３より室外側Ａ寄りには、上下一対の取付孔７４が形成され、各取付孔７４には、それぞれ前記操作ピン５４の一端側が挿入されて固定され、操作ピン５４の他端側は上下方向で同じ側にある係合溝４４に左右方向Ｃで挿入されている（上側の操作ピン５４が上側の係合溝４４に挿入され、下側の操作ピン５４が下側の係合溝４４に挿入されている）。
【００４５】
したがって、ラックプレート５３を上下移動させると、操作ピン５４がアウト鎌３９を押圧することにより該アウト鎌３９が回転支軸４１回りに回転するようになっている。
ラックプレート５３の上部の室外側Ａには取付片７５が設けられている。この取付片７５はアウト鎌ケース４６よりも室外側Ａ寄りに位置している。また、この取付片７５がラックプレート５３の上部の挿通孔７３の形成部分よりもアウト鎌３９配置側寄りに位置ズレするように、ラックプレート５３上部が段付き状に折曲形成されている。
【００４６】
また、この取付片７５はアウトケース９の側壁３２に形成したガイド孔３６に対向するように配置されていると共に、該取付片７５には上下方向に長い矩形状の取付孔７６が形成されている。
また、この取付片７５に上下一対のバネ受け７７が組み込まれていると共に、上下のバネ受け７７の間にコイルバネからなる復帰バネ７８が圧縮状に介装されている。
【００４７】
図３に示すように、上側のバネ受け７７には上方に開放状の溝７９が形成され、該溝７９に、取付片７５の取付孔７６上方部位が挿入されていて、取付片７５に対する上側のバネ受け７７の上方移動が規制されている。
また、下側のバネ受け７７には下方に開放状の溝８０が形成され、該溝８０に、取付片７５の取付孔７４下方部位が挿入されていて、取付片７５に対する下側のバネ受け７７の下方移動が規制されている。
【００４８】
また、上下のバネ受け７７にはアウトケース９の側壁３２のガイド孔３６に挿入された被ガイド部８１が設けられ、上側のバネ受け７７の被ガイド部８１がガイド孔３６上端に接当することにより、アウトケース９に対する上側のバネ受け７７の上方移動が規制され、下側のバネ受け７７の被ガイド部８１がガイド孔３６下端に接当することにより、アウトケース９に対する下側のバネ受け７７の下方移動が規制されている。
【００４９】
上側のバネ受け７７の被ガイド部８１がガイド孔３６上端に接当し、下側のバネ受け７７の被ガイド部８１がガイド孔３６下端に接当した状態で、アウト鎌３９が非操作位置に位置している。
なお、復帰バネ７８及びバネ受け７７はアウト鎌３９と干渉しないように、アウト鎌３９の背面位置から側方に偏倚(位置ずれ）している（復帰バネ７８及びバネ受け７７がアウト鎌３９に対して回転軸心方向の側方にオフセット配置されている）。
【００５０】
アウト鎌３９が非操作位置に位置している状態で、該アウト鎌３９を操作すべく、キー６を右回りに回転させてラックプレート５３を上方移動させると、上バネ受け７７の被ガイド部８１がガイド孔３６上端に接当していて該上側のバネ受け７７の上方移動が規制さ
れているので、取付片７５が復帰バネ７８を圧縮しながら下側のバネ受け７７を押し上げる。
【００５１】
また、アウト鎌３９が非操作位置に位置している状態で、該アウト鎌３９を操作すべく、キー６を左回りに回転させてラックプレート５３を下方移動させると、下側のバネ受け７７の被ガイド部８１がガイド孔３６下端に接当していて該下側のバネ受け７７の下方移動が規制されているので、取付片７５が復帰バネ７８を圧縮しながら上バネ受け７７を押し下げる。
【００５２】
したがって、アウト鎌３９を操作した状態からキー６の操作力を解除すると、復帰バネ７８の付勢力によって、ラックプレート５３が操作前の元の位置に戻されて、アウト鎌３９が非操作位置に復帰するように構成されている。
また、アウト側ユニット１Ａは、アウトケース９に室外側Ａから挿入されたインナーケース８２を備えている。
【００５３】
このインナーケース８２の上壁８３及び下壁８４は、アウトケース９への挿入を許容するように凹みが形成されている。
このインナーケース８２の上壁８３と上中間壁８６との間には、ラックプレート５３の取付片７５、上下バネ受け７７等が配置され、該上壁８３には取付片７５の上動を許容する切欠き８８が形成され、上中間壁８６には取付片７５の下動を許容する切欠き８８が形成されている。
【００５４】
また、インナーケース８２の、ラックプレート５３配置側の側壁８９上部は、上下バネ受け７７に干渉しないように大きく切り欠かれている。
インナーケース８２の背面壁９０の上下方向中間部には、アウトサイド座７の上下シリンダ支持部１４及びシリンダ錠１５を挿通するための開口９１が形成されていて、上中間壁８６と下中間壁８７との間に、該上下シリンダ支持部１４及びシリンダ錠１５が挿入されている。
【００５５】
インナーケース８２の左右各側壁８９の上下方向中途部には、アウトケース９の切欠き部３７に室外側Ａから嵌合する嵌合部９２が設けられ、この嵌合部９２の下側で連結ピン９３がアウトケース９の左右側壁３２とインナーケース８２の左右側壁８９とにわたって挿通されている。
また、インナーケース８２のラックプレート５３配置側の側壁８９外面には、ラックプレート５３の下部側を収容する凹部９４が形成されている。
【００５６】
イン側ユニット１Ｂは、図２、図６〜８、図１５、図１６に示すように、内側框５の室内側Ｂに配置されるインサイド座９４と、内側框５の室外側Ａに配置されるイン側フロント９５と、これらインサイド座９４とイン側フロント９５との間に配置され且つ内側框５に室内外方向に貫通形成された収容部内に収容されたインケース９６と、アウト側ユニット１Ａのストライク部３５に係脱自在に係合して引違い戸２を施錠をする鎌３４と、この鎌３４を室内側Ｂから操作するための施錠操作部材９７と、この施錠操作部材９７の操作によって上下動して前記鎌３４を施錠・解錠動作させるスライダ９８と、施錠操作部材９７の操作に連動して動く連動部材９９と、施錠時において連動部材９９が外側框４と内側框５との間の隙間から操作されるのを防止するプロテクタ１００と、このプロテクタ１００を室内外方向移動自在に案内するプロテクタガイド１０１とを有する。
【００５７】
インサイド座９４は、内側框５の収容部を塞ぐように該内側框５の室内側Ｂの面に接当する縦長矩形状のベース部１０２を有している。
また、インサイド座９４の上下方向中央側には、上下方向に長い矩形状の操作用開口１０３が形成されている。
このインサイド座９４の室外側Ａには、該インサイド座９４に対して上下左右に移動不能に位置決め固定された規制プレート１０４が配置され、この規制プレート１０４には上下方向に長い矩形状の開口１０６が形成されている。
【００５８】
施錠操作部材９７は、インサイド座９４と規制プレート１０４との間で上下動自在に支持された矩形状のベース部１０７と、このベース部１０７の室内側Ｂの上下方向中央側に設けられた操作つまみ１０８と、ベース部１０７の室外側Ａの上下方向中央側に設けられ
たレバー部１０９とを有する。
前記操作つまみ１０８は操作用開口１０３を挿通していて該操作用開口１０３内を上下に移動自在とされており、該操作つまみ１０８を撮むことにより施錠操作部材９７が室内側Ｂから上下に移動操作可能とされている。
【００５９】
なお、前記操作つまみ１０８には、補助操作つまみ１１０が取付可能とされている。
前記施錠操作部材９７のベース部１０７の下部（操作つまみ１０８の下方側）には、位置合わせ用の小孔１１１が形成されている。
前記レバー部１０９は、ベース部１０７から室外側Ａに突出していて規制プレート１０４の開口１０６を挿通していると共に、該開口１０６によって上下移動が許容されている。
【００６０】
イン側フロント９５は、板材によって縦長矩形状に形成され、内側框５の収容部を塞ぐように内側框５の室外側Ａの面に接当している。
このイン側フロント９５の上部には、縦長矩形状の嵌合孔１１２が貫通形成され、下部には、縦長矩形状の鎌出退口１１３が貫通形成されている。
また、該イン側フロント９５の上下方向中央側には位置合わせ用の小孔１１４が貫通形成されている。
【００６１】
インケース９６は、室内側Ｂが開放状とされた矩形箱状に形成され、インケース９６内に、前記鎌３４、スライダ９８、連動部材９９、プロテクタ１００及びプロテクタガイド１０１が組み込まれている。
このインケース９６内の上端側及び下端側には、室内外方向の軸心を有するネジ筒１１５が配置され、各ネジ筒１１５の一端側はインケース９６の室外側壁部１１６の上下部を貫通してイン側フロント９５の上下部にかしめ固定され、これによりインケース９６の室外側Ａにイン側フロント９５が固定されている。
【００６２】
このインケース９６の室外側壁部１１６には、上下に開孔１１７、１１８が形成され、上下方向中央側に位置合わせ用の小孔１１９が形成されている。
インケース９６の上側開孔１１７は、イン側フロント９５の嵌合孔１１２と対向状に形成され、且つインケース９６の左右側壁１２１間にわたる左右幅に形成されている。
インケース９６の下側開孔１１８は、縦長矩形状に形成され、イン側フロント９５の鎌出退口１１３と対向状に形成されている。
【００６３】
インケース９６の小孔１１９は、前記イン側フロント９５の小孔１１４に連通状とされている。
インケース９６の左右側壁１２１下部の室内外方向中途部には、上下方向に長いガイド孔１２２が形成されている。
前記ネジ筒１１５は、インケース９６の室内外方向の長さに略相当する長さに形成され、上下各ネジ筒１１５の内側のネジ孔１１５ａに、インサイド座９４及び規制プレート１０４の上下部を室内側Ｂから貫通する取付ネジ１２３が螺合されることにより、インサイド座９４とイン側フロント９５とが相互に連結され、これらインサイド座９４とイン側フロント９５とで内側框５を挟み込むことにより、該インサイド座９４とイン側フロント９５とが（イン側ユニット１Ｂが）内側框５に着脱自在に取り付けられる。
【００６４】
この取付構造により、インサイド座９４とイン側フロント９５との間の取付間隔が変更可能とされ、したがって、イン側ユニット１Ｂは、室内外方向の厚みが異なる内側框５に対して、該厚みに対応して内側框５に取り付け得るようになっている。
図２は、インサイド座９４とイン側フロント９５との間の取付間隔を拡大又は縮小し得る状態に取り付けられた場合を示している。
【００６５】
また、インサイド座９４とイン側フロント９５との間の取付間隔の変更範囲は、アウトサイド座７とアウト側フロント８との間の取付間隔の変更範囲と同様とされている。
また、イン側ユニット１Ｂは、前記嵌合孔１１２がアウト側フロント８の窓孔２４上部の矩形状部分２４ａに対向し且つ鎌出退口１１３がアウト側フロント８の鎌挿入孔２６に対向するように、イン側ユニット１Ｂに対して対向状に取り付けられる。
【００６６】
前記鎌３４は、インケース９６の左右側壁１２１間の下部に配置され、インケース９６
の前記ガイド孔１２２の室外側Ａ寄りにおいて左右側壁１２１にわたって設けられた左右方向Ｃの軸心を有する枢軸１２４が貫通されていて、該枢軸１２４回りに回転自在とされている。
該鎌３４は、図２に示す側面視において、枢軸１２４回りに左回りに回転させることにより、図２に示すように、該鎌３４の鉤状部１２５がインケース９６の下側開孔１１８を通って鎌出退口１１３から突出し、該鉤状部１２５の先端側がアウト側ユニット１Ａの鎌挿入孔２６から侵入してストライク部３５に係合するように構成されている。
【００６７】
鎌３４がストライク部３５に係合することにより、引違い戸２が施錠され、引違い戸２が開閉不能となる。
また、鎌３４を、図２に示す側面視において、該図２に示す施錠状態から、枢軸１２４回りに右回りに回転させることにより、鉤状部１２５が鎌出退口１１３からインケース９６内へと退避するよう構成されている。
【００６８】
鎌３４がインケース９６内に退避することにより、引違い戸２が解錠され、引違い戸２が開閉可能となる。
インケース９６のガイド孔１２２には、左右ガイド孔１２２にわたって設けられたスライドピン１２６が該ガイド孔１２２に沿って上下移動自在に支持されている。鎌３４の鉤状部１２５とは反対側には、このスライドピン１２６が挿通される係合孔１２７が形成されている。
【００６９】
また、鎌３４には、該鎌３４を鉤状部１２５が鎌出退口１１３から突出した施錠位置と、鉤状部１２５が鎌出退口１１３から退避した解錠位置とに保持する捩りコイルバネからなる鎌バネ１２８が組み付けられている。
前記スライダ９８は、左右の側壁１２９と、左右側壁１２９の室内側Ｂ端部を連結する背面壁１３０とからコ字形に形成されている。このスライダ９８は、インケース９６内に室内側Ｂから上下移動自在に挿入されている。
【００７０】
このスライダ９８の背面壁１３０の上下方向中途部には挿通部１３１が形成され、この挿通部１３１に前記施錠操作部材９７のレバー部１０９が挿通されており、施錠操作部材９７を上下に移動操作すると、前記レバー部１０９がスライダ９８を押し上げ又は押し下げることにより該スライダ９８が上下移動するよう構成されている。
また、前記レバー部１０９は挿通部１３１に室内外方向移動可能に挿通されていて、該レバー部１０９の挿通部１３１に対する挿通状態が維持される範囲でインサイド座９４とイン側フロント９５との間の取付間隔が変更可能とされている。
【００７１】
また、このスライダ９８の左右各側壁１２９の下部の室外側Ａ寄りには、室外側Ａから室内側Ｂへと向けて凹設され且つ上下方向に長い軸逃し溝１３２が形成されている。
この軸逃し溝１３２内に鎌３４を枢支する前記枢軸１２４が挿入されている。
また、この軸逃し溝１３２の上下方向中途部には、室外側Ａから室内側Ｂへと向けて形成された係合溝１３３が形成され、該係合溝１３３に前記スライドピン１２６が嵌合している。
【００７２】
また、スライダ９８の背面壁１３０の下部には上下に長い矩形状の透孔１３４が形成され、この透孔１３４の上部側と、前記施錠操作部材９７に形成された前記小孔１１１が対向状とされている。
なお、スライダ９８の背面壁１３０の上部及び下部には、ネジ筒１１５との干渉を防止するための凹溝１３５が形成されている。
【００７３】
前記鎌３４が解錠位置に位置している状態では、施錠操作部材９７及びスライダ９８は上下移動域の上部側に位置していると共にスライドピン１２６はガイド孔１２２の上端側に位置している。該状態でスライダ９８を下方移動させると、係合溝１３３を介してスライドピン１２６が引き下げられることにより、鉤状部１２５が鎌出退口１１３から突出するようにスライドピン１２６によって鎌３４が回動させられ、該鎌３４が図２に示す施錠位置に位置する。
【００７４】
また、鎌３４が施錠位置に位置している状態でスライダ９８を上方移動させると、係合溝１３３を介してスライドピン１２６が引き上げられることにより、鉤状部１２５が鎌出
退口１１３から退避するようにスライドピン１２６によって鎌３４が回動させられ、該鎌３４が解錠位置に位置する。
また、スライダ９８が上下移動する際に、枢軸１２４が軸逃し溝１３２内を上下に相対移動することによりスライダ９８の上下動が許容されるよう構成されている。
【００７５】
なお、軸逃し溝１３２及び係合溝１３３は、室外側Ａに向けて開放状であるので、インケース９６に鎌３４を組み付けた状態でスライダ９８を室内側Ｂからインケース９６内に組み込むことができる。
前記連動部材９９は、スライダ９８の側壁１２９間の上部に配置されると共にスライダ９８の背面壁１３０に固定されていて、スライダ９８と一体的に上下動することにより施錠操作部材９７の上下移動操作に連動して上下に動く。
【００７６】
この連動部材９９は、帯板材を折曲することにより形成され、上下の係合壁１３６と、上側の係合壁１３６の室内側Ｂ端部から上方に延び、また、下側の係合壁１３６の室内側Ｂ端部から下方に延びる上下の取付片１３７とを有する。
取付片１３７は、スライダ９８の背面壁１３０にリベットによって固定されている。
上下の係合壁１３６は室外側Ａに向かうにしたがって対向間隔が狭まるように形成されていると共に、室外側Ａ端部において相互に連結されている。
【００７７】
前記プロテクタガイド１０１はインケース９６内の上部に配置されている。
このプロテクタガイド１０１の内部には、プロテクタ１００を収容する収容スペースが形成され、この収容スペースはプロテクタ１００を室内側Ｂから挿入すべく室内側Ｂに向けて開放状とされている。
プロテクタガイド１０１の左右の各側壁１３８はスライダ９８の左右側壁１２９間に位置しており、該プロテクタガイド１０１の左右側壁１３８には上下方向に長いガイド溝１２９が形成され、このガイド溝１２９にスライダ９８の左右側壁１２９にわたって設けられた上下一対の係合ピン１４１が上下移動自在に挿通されている。
【００７８】
また、該プロテクタガイド１０１の室外側Ａには、プロテクタ１００を出退自在に突出させるためのプロテクタ出退口１４２が設けられ、このプロテクタ出退口１４２は縦長の矩形状に形成され、その周囲には、イン側フロント９５の嵌合孔に内嵌する矩形状周壁１４３が形成されている。また、プロテクタガイド１０１の、前記矩形状周壁１４３の周囲はイン側フロント９５の室内側Ｂの面に接当している。
【００７９】
前記プロテクタ１００はプロテクタガイド１０１内で室内外方向に移動自在に支持されている。このプロテクタ１００内には前記連動部材９９が挿入され、該連動部材９９の室外側Ａの端部側はプロテクタ出退口１４２まで延びている。
また、プロテクタ１００は左右側壁１４４と上壁１４５とを有し、室内側Ｂに向けて開放状とされている。また、プロテクタ１００の室外側Ａには下壁１４６が設けられていて、該プロテクタ１００の室内側Ｂは筒状とされており、該筒部分は、施錠時においてプロテクタ出退口１４２から突出することにより、前記連動部材９９が外側框４と内側框５との間の隙間から操作されるのを阻止する。
【００８０】
また、プロテクタ１００の左右側壁１４４間の室内側Ｂは下方に開放状とされている。
また、プロテクタ１００の左右側壁１４４の室内側Ｂは前記下壁１４６より下方に延出状とされている。
プロテクタ１００の左右各側壁１４４には、上下一対のカム溝１４７が設けられ、上側のカム溝１４７を前記上側の係合ピン１４１が挿通しており、下側のカム溝１４７を前記下側の係合ピン１４１が挿通している。
【００８１】
各カム溝１４７は、上部が下部に対して室外側Ａに偏倚していて、スライダ９８が引き下げられて鎌３４が施錠位置に位置しているときに、プロテクタ１００の筒部分がプロテクタ出退口１４２から突出し、スライダ９８が押し上げられて鎌３４が解錠位置に位置しているときに、プロテクタ１００の筒部分がプロテクタ出退口１４２から退避するよう構成されている。
【００８２】
前記施錠操作部材９７の室内側Ｂ上部には、施錠状態を表示する表示シール１４９が貼り付けられている。
この表示シール１４９は、施錠操作部材９７を押し上げたときにインサイド座９４の内面側に隠れ、施錠操作部材９７を押し下げたときに操作用開口１０３を介して露出する。
前記構成の引違い戸錠１において室外側Ａから施錠操作する場合、アウト鎌３９が図１に示す非操作位置に位置している状態で、シリンダ錠１５のシリンダプラグ１８をキー６によって回転操作してラックプレート５３を上方移動させると、下側の操作ピン５４が中央被押圧部３９ａを押し上げ（下側の操作ピン５４が下側の係合溝４４の上面側を押圧し）、施錠操作部４２が下方揺動してアウト側フロント８の窓孔２４から出るようにアウト鎌３９が施錠方向に回転する。
【００８３】
このとき、アウト鎌３９の施錠操作部４２が連動部材９９を押し下げ、これによって、鎌３４が解錠位置から施錠位置に回転する。
本実施形態では、図４に示すように、アウト鎌３９を非操作位置から施錠方向に９０°回転させることにより、連動部材９９が上下移動域の下端位置まで押し下げられるよう構成されている。また、アウト鎌３９を非操作位置から９０°施錠方向に回転操作した場合、アウト鎌３９は、図４に示すように、係合溝４４の開口側が上方を向く状態となり、上側の操作ピン５４は、アウト鎌３９の施錠動作(施錠方向)の回転途中で上側の係合溝４４から離脱する。
【００８４】
この図４に示すアウト鎌３９を施錠操作した位置で、キー６の操作力が解除されて復帰バネ７８の付勢力によりラックプレート５３が下方移動すると、下側の操作ピン５４が下被押圧部３９ｃを押し下げ（下側の操作ピン５４が下側の係合溝４４の下面側を押圧し）、施錠操作部４２が上方揺動してアウト側フロント８の窓孔２４からアウトケース９内に退避するようにアウト鎌３９が回転支軸４１回りに回転する。
【００８５】
このアウト鎌３９の復帰動作の回転途中において上側の操作ピン５４が上側の係合溝４４に挿入する。
また、引違い戸錠１を室外側Ａから解錠操作する場合は、シリンダ錠１５のキー操作によってラックプレート５３を下方移動させると、上側の操作ピン５４が中央被押圧部３９ａを押し下げ（上側の操作ピン５４が上側の係合溝４４の下面側を押圧し）、解錠操作部４３が上方揺動してアウト側フロント８の窓孔２４から出るようにアウト鎌３９が解錠方向に回転する。
【００８６】
アウト鎌３９を９０°解錠方向に回転操作すると、アウト鎌３９は、図５に示すように、係合溝４４の開口側が下方を向く状態となり、下側の操作ピン５４は、アウト鎌３９の解錠動作(施錠方向)の回転途中で下側の係合溝４４から離脱する。
そして、この図５に示すアウト鎌３９を解錠操作した位置で、キー６の操作力が解除されて復帰バネ７８の付勢力によりラックプレート５３が上方移動すると、上側の操作ピン５４が上被押圧部３９ｃを押し上げ（上側の操作ピン５４が上側の係合溝４４の上面側を押圧し）、解錠操作部４３が下方揺動してアウト側フロント８の窓孔２４からアウトケース９内に退避するようにアウト鎌３９が回転支軸４１回りに回転する。
【００８７】
このアウト鎌３９の復帰動作の回転途中において下側の操作ピン５４が下側の係合溝４４に挿入する。
前記引違い戸錠１にあっては、アウト鎌３９を平板状の一枚の板材により形成していることから、アウト側ユニット１Ａ又はイン側ユニット１Ｂの一方が他方に対して適正位置から左右方向Ｃに若干位置ズレして取り付けられた場合における、連動部材９９に対するアウト鎌３９のかかりを改善することができる。
【００８８】
すなわち、２枚の操作片を左右方向Ｃに隣接してなるアウト鎌であると、アウト鎌の左右幅が厚くなり、イン側ユニット又はアウト側ユニットの一方が他方に対して、適正位置から左右方向Ｃに若干位置ズレして取り付けられた場合において、前記操作片の一方が連動部材に対してかかりが悪くなる場合が生じるが、これに対して、本実施形態では、前記２枚の操作片からなるアウト鎌に比べてアウト鎌３９の左右幅が薄く、これによって、アウト側ユニット１Ａ又はイン側ユニット１Ｂの一方が他方に対して適正位置から左右方向Ｃに若干位置ズレして取り付けられた場合における、連動部材９９に対するアウト鎌３９のかかりが改善されるのである。
【００８９】
また、アウト鎌３９を一枚の板材により形成することで、構造の簡素化、コストダウンを図ることができる。
また、従来の引違い戸錠にあっては、アウト鎌が左右方向Ｃで隣接された２枚の操作片で構成され、各操作片にピンを左右方向Ｃ外方に突出状に設け、ラックプレートの上部に一対の側板を設け、各側板にピンに係合する溝を設け、ラックプレートを上方移動させることで一方の側板によって一方の操作片を回転させ、ラックプレートを下方移動させることで他方の側板によって他方の操作片を回転させるように構成されていて、ラックプレートとアウト鎌との係合構造が複雑である。
【００９０】
これに対して、本実施形態では、ラックプレート５３に上下一対の操作ピン５４を設け、アウト鎌３９に前記操作ピン５４が係合する上下一対の係合溝４４を形成しており、ラックプレート５３とアウト鎌３９との係合構造が簡素化されている。
また、本実施形態では、上下各係合溝４４の一側が開放状とされていて、ラックプレート５３の上方移動によって下側の操作ピン５４がアウト鎌３９を押圧して該アウト鎌３９を回転させる際に上側の操作ピン５４（アウト鎌３９の回転操作に関与しない側の操作ピン５４）が係合溝４４から抜け出、また、ラックプレート５３の下方移動によって上側の操作ピン５４がアウト鎌３９を押圧して該アウト鎌３９を回転させる際に下側の操作ピン５４（アウト鎌３９の回転操作に関与しない側の操作ピン５４）が係合溝４４から抜け出るように構成されているので、アウト鎌３９を十分に回転させることできる。
【００９１】
また、本実施形態の引違い戸錠１にあっては、引違い戸錠１を引違い戸２の召し合わせ部分３に取り付ける場合、先ずアウト側ユニット１Ａを外側框４に取り付け、その後に、イン側ユニット１Ｂを内側框５に取り付ける。
イン側ユニット１Ｂを内側框５に取り付ける際にあっては、先ず、イン側ユニット１Ｂが上下左右に移動することができる程度にネジ筒１１５に対して取付ネジ１２３を締め付けて該イン側ユニット１Ｂを内側框５に仮取付けすると共に、施錠操作部材９７を上下移動域の上端位置に上げておく。
【００９２】
この施錠操作部材９７を上端位置に上げた状態では、図５に示すように、施錠操作部材９７に形成された小孔１１１は、イン側フロント９５に形成された小孔１１４及びインケース９６に形成された小孔１１９と略同心状となり、前記３つの小孔１１１，１１４，１１９にわたって調整棒１４８が挿通可能となる（イン側ユニット１Ｂに調整棒１４８を室内外方向に貫通させることができる）。
【００９３】
一方、ロータギヤ５２のギヤ本体５６の内筒部６７の内孔６５の室内側Ｂ端部は雌ネジが形成されておらず、該部分が調整棒１４８の先端側を挿入可能な挿入部６５ａとされている。
そして、室内側Ｂから、前記３つの小孔１１１，１１４，１１９にわたって調整棒１４８を挿通すると共に、該調整棒１４８をロータギヤ５２の内筒部６７の前記挿入部６５ａ（内孔６５の室内側Ｂ端部）に挿入する。これによって、イン側ユニット１Ｂがアウト側ユニット１Ａに対して適正位置に位置決めされ、この状態でイン側ユニット１Ｂが内側框５に対して上下左右に移動不能となるようにネジ筒１１５に対して取付ネジを締め付ける。
【００９４】
なお、イン側ユニット１Ｂを内側框５に固定した後は、調整棒１４８は引き抜かれる。
【符号の説明】
【００９５】
１Ａ    アウト側ユニット
１Ｂ    イン側ユニット
２      引違い戸
３      召し合わせ部分
４      室外側の召し合わせ框（外側框）
５      室内側の召し合わせ框（内側框）
７      アウトサイド座
８      アウト側フロント
９      アウトケース
１５      シリンダ錠
２１      ロータ
２６      鎌挿入孔
２７      室内側壁部
３１      支持孔
３５      ストライク部
３４      施錠部材（鎌）
３９      アウト側操作部材（アウト鎌）
５２      ロータギヤ
５３      ラックプレート
５９      外筒部
６０      内筒部
６１      連結壁
６２      スペーサ
６５ａ    挿入部
９７      施錠操作部材
９９      連動部材
１４８      調整棒
Ａ      室外側
Ｂ      室内側
【図１】
0005600463.tif 000002
【図２】
0005600463.tif 000003
【図３】
0005600463.tif 000004
【図４】
0005600463.tif 000005
【図５】
0005600463.tif 000006
【図６】
0005600463.tif 000007
【図７】
0005600463.tif 000008
【図８】
0005600463.tif 000009
【図９】
0005600463.tif 000010
【図１０】
0005600463.tif 000011
【図１１】
0005600463.tif 000012
【図１２】
0005600463.tif 000013
【図１３】
0005600463.tif 000014
【図１４】
0005600463.tif 000015
【図１５】
0005600463.tif 000016
【図１６】
0005600463.tif 000017